(57)【要約】  ワイヤレス通信デバイスの通話設定時間を低減させる装置および方法は、ページング強度を測定することと、通話設定時間を低減させるために、測定されたページング強度に基づいて、ＳＩＢ７またはＳＩＢ１４の繰り返し周期を調整することとを含む。１つの観点において、ページング強度のしきい値は、測定されたページング強度に基づいて決定され、ページング強度のしきい値は、ＳＩＢ７またはＳＩＢ１４の繰り返し周期を調整するために使用される。
2010518704.tif 000002
【特許請求の範囲】
【請求項１】
ワイヤレス通信デバイスの通話設定時間を低減させる方法において、
ページング強度を測定することと、
前記通話設定時間を低減させるために、前記測定されたページング強度に基づいて、ＳＩＢ７またはＳＩＢ１４の繰り返し周期を調整することとを含む方法。
【請求項２】
前記請求項１のプロセスが使用可能であることを確認することと、更新時間を待った後に、前記請求項１のプロセスを繰り返すこととをさらに含む請求項１記載の方法。
【請求項３】
前記調整されたＳＩＢ７またはＳＩＢ１４の繰り返し周期に基づいて、少なくとも１つのＳＩＢ７またはＳＩＢ１４ブロックを送信することをさらに含む請求項１記載の方法。
【請求項４】
前記ＳＩＢ７またはＳＩＢ１４の繰り返し周期は、ネットワーク設定のＳＩＢ７またはＳＩＢ１４の繰り返し周期を超えないように調整される請求項１記載の方法。
【請求項５】
前記ＳＩＢ７またはＳＩＢ１４の繰り返し周期は、既存の３ｇｐｐ規格の値を下回らないように調整される請求項１記載の方法。
【請求項６】
前記ＳＩＢ７またはＳＩＢ１４の繰り返し周期は、その現在の値の半分に調整される請求項１記載の方法。
【請求項７】
前記ＳＩＢ７またはＳＩＢ１４の繰り返し周期は、その現在の値を２倍にするように調整される請求項１記載の方法。
【請求項８】
前記調整するプロセスは、前記測定されたページング強度に基づいて、ページング強度のしきい値を決定することと、前記ページング強度のしきい値に基づいて、前記ＳＩＢ７またはＳＩＢ１４の繰り返し周期を更新することとを含む請求項１記載の方法。
【請求項９】
前記ページング強度のしきい値はヒステリシス値を含み、前記ページング強度のしきい値は、有効期限のタイマーにより測定される継続時間Ｔを上回っている請求項８記載の方法。
【請求項１０】
その中から前記ページング強度のしきい値が決定される、１組のページング強度に対応する１組のページング強度のしきい値を規定することをさらに含む請求項８記載の方法。
【請求項１１】
前記１組のページング強度のしきい値は、ルックアップテーブルにおいてリストにされている請求項１０記載の方法。
【請求項１２】
前記ページング強度のしきい値は、ルックアップテーブルにおいてリストにされている請求項８記載の方法。
【請求項１３】
前記ワイヤレス通信デバイスは３Ｇシステムの一部である請求項１記載の方法。
【請求項１４】
前記ワイヤレス通信デバイスはＵＭＴＳの一部である請求項１３記載の方法。
【請求項１５】
前記調整されたＳＩＢ７またはＳＩＢ１４の繰り返し周期で送信されるＳＩＢ７またはＳＩＢ１４ブロックを受信することをさらに含む請求項１記載の方法。
【請求項１６】
アップリンク干渉レベルを取得するために、前記ＳＩＢ７またはＳＩＢ１４ブロックをデコードすることをさらに含む請求項１５記載の方法。
【請求項１７】
前記デコードするステップは、前記ＳＩＢ７またはＳＩＢ１４ブロックのコンテンツを記憶させることと、有効期限のタイマーを開始することと、前記有効期限のタイマーが切れるまで有効な、前記ＳＩＢ７またはＳＩＢ１４ブロックのコンテンツを考慮することとを含む請求項１６記載の方法。
【請求項１８】
前記アップリンク干渉レベルが開ループ電力制御計算において使用されて、前記ワイヤレス通信デバイスに対して適切な送信電力レベルが決定される請求項１７記載の方法。
【請求項１９】
前記アップリンク干渉レベルが開ループ電力制御計算において使用されて、前記ワイヤレス通信デバイスに対して適切な送信電力レベルが決定される請求項１６記載の方法。
【請求項２０】
ワイヤレス通信デバイスの通話設定時間を低減させる方法において、
ページング強度を測定することと、
前記測定されたページング強度に基づいて、ページング強度のしきい値を決定することと、
前記通話設定時間を低減させるために、前記ページング強度のしきい値に基づいて、ＳＩＢ７またはＳＩＢ１４の繰り返し周期を更新することと、
前記更新されたＳＩＢ７またはＳＩＢ１４の繰り返し周期に基づいて、少なくとも１つのＳＩＢ７またはＳＩＢ１４ブロックを送信することとを含む方法。
【請求項２１】
前記請求項１９のプロセスがまだ使用可能であることを確認することと、更新時間を待った後に、前記請求項１９のプロセスを繰り返すこととをさらに含む請求項２０記載の方法。
【請求項２２】
アップリンク干渉レベルを取得するために、前記少なくとも１つのＳＩＢ７またはＳＩＢ１４ブロックをデコードすることをさらに含む請求項２０記載の方法。
【請求項２３】
前記アップリンク干渉レベルが開ループ電力制御計算において使用されて、前記ワイヤレス通信デバイスに対して適切な送信電力レベルが決定される請求項２２記載の方法。
【請求項２４】
プロセッサとメモリとを具備する装置において、
前記メモリは、
ページング強度を測定することと、
通話設定時間を低減させるために、前記測定されたページング強度に基づいて、ＳＩＢ７またはＳＩＢ１４の繰り返し周期を調整することと、
を実行するための、前記プロセッサによって実行可能なプログラムコードを含んでいる装置。
【請求項２５】
前記メモリは、前記調整されたＳＩＢ７またはＳＩＢ１４の繰り返し周期に基づいて、少なくとも１つのＳＩＢ７またはＳＩＢ１４ブロックを送信するプログラムコードをさらに含む請求項２４記載の装置。
【請求項２６】
プロセッサとメモリとを具備する装置において、
前記メモリは、
ページング強度を測定することと、
前記測定されたページング強度に基づいて、ページング強度のしきい値を決定することと、
通話設定時間を低減させるために、前記ページング強度のしきい値に基づいて、ＳＩＢ７またはＳＩＢ１４の繰り返し周期を更新することと、
前記更新されたＳＩＢ７またはＳＩＢ１４の繰り返し周期に基づいて、少なくとも１つのＳＩＢ７またはＳＩＢ１４ブロックを送信することと、
を実行するための、前記プロセッサによって実行可能なプログラムコードを含んでいる装置。
【請求項２７】
通話設定時間を低減させる装置において、
ページング強度を測定する手段と、
前記通話設定時間を低減させるために、前記測定されたページング強度に基づいて、ＳＩＢ７またはＳＩＢ１４の繰り返し周期を調整する手段とを具備する装置。
【請求項２８】
前記調整されたＳＩＢ７またはＳＩＢ１４の繰り返し周期に基づいて、少なくとも１つのＳＩＢ７またはＳＩＢ１４ブロックを送信する手段をさらに具備する請求項２７記載の装置。
【請求項２９】
通話設定時間を低減させる装置において、
ページング強度を測定する手段と、
前記測定されたページング強度に基づいて、ページング強度のしきい値を決定する手段と、
前記通話設定時間を低減させるために、前記ページング強度のしきい値に基づいて、ＳＩＢ７またはＳＩＢ１４の繰り返し周期を更新する手段と、
前記更新されたＳＩＢ７またはＳＩＢ１４の繰り返し周期に基づいて、少なくとも１つのＳＩＢ７またはＳＩＢ１４ブロックを送信する手段とを具備する装置。
【請求項３０】
少なくとも１つのコンピュータにより実行されるとき、方法を実現する、記憶されたプログラムコードを含むコンピュータ読み取り可能媒体において、
ページング強度を測定するためのプログラムコードと、
通話設定時間を低減させるために、前記測定されたページング強度に基づいて、ＳＩＢ７またはＳＩＢ１４の繰り返し周期を調整するためのプログラムコードとを含むコンピュータ読み取り可能媒体。
【請求項３１】
前記調整されたＳＩＢ７またはＳＩＢ１４の繰り返し周期に基づいて、少なくとも１つのＳＩＢ７またはＳＩＢ１４ブロックを送信するためのプログラムコードをさらに含む請求項３０記載のコンピュータ読み取り可能媒体。
【請求項３２】
前記少なくとも１つのＳＩＢ７またはＳＩＢ１４ブロックを受信するためのプログラムコードをさらに含む請求項３１記載のコンピュータ読み取り可能媒体。
【請求項３３】
アップリンク干渉レベルを取得するために、前記少なくとも１つのＳＩＢ７またはＳＩＢ１４ブロックをデコードするためのプログラムコードをさらに含む請求項３２記載のコンピュータ読み取り可能媒体。
【請求項３４】
前記デコードするためのプログラムコードは、前記少なくとも１つのＳＩＢ７またはＳＩＢ１４ブロックのコンテンツを記憶させるためのプログラムコードと、有効期限のタイマーを開始するためのプログラムコードと、前記有効期限のタイマーが切れるまで有効な、前記少なくとも１つのＳＩＢ７またはＳＩＢ１４ブロックのコンテンツを考慮するためのプログラムコードとを含む請求項３３記載のコンピュータ読み取り可能媒体。
【請求項３５】
記憶されたプログラムコードを含むコンピュータ読み取り可能媒体において、
ページング強度を測定することをコンピュータに生じさせるためのプログラムコードと、
前記測定されたページング強度に基づいて、ページング強度のしきい値を決定することを前記コンピュータに生じさせるためのプログラムコードと、
通話設定時間を低減させるために、前記ページング強度のしきい値に基づいて、ＳＩＢ７またはＳＩＢ１４の繰り返し周期を更新することを前記コンピュータに生じさせるためのプログラムコードと、
前記更新されたＳＩＢ７またはＳＩＢ１４の繰り返し周期に基づいて、少なくとも１つのＳＩＢ７またはＳＩＢ１４ブロックを送信することを前記コンピュータに生じさせるためのプログラムコードとを含むコンピュータ読み取り可能媒体。
【発明の詳細な説明】
【合衆国法典第３５部第１１９条に基づく優先権の主張】
【０００１】
特許に対する本出願は、２００７年１月３１日に出願され、この出願の譲受人に譲渡され、参照により明白にここに組み込まれている、“ＳＩＢ７のスケジューリングを調整すすることにより移動体終端の通話設定遅延を低減させる方法および装置”と題する仮出願第６０／８８７，５９０号に対する優先権を主張する。
【分野】
【０００２】
本開示は一般に、通話設定時間を低減させる装置および方法に関する。より詳細には、本開示は、ＳＩＢ７のスケジューリング頻度を調整することにより通話設定時間を低減させることに関する。
【背景】
【０００３】
移動体終端（ＭＴ）の通話設定時間は、ワイヤレスネットワークにおける重要な性能インジケータである。それは、ネットワークによって提供される任意のサービスにかかわらずユーザの経験に直接影響を及ぼす。移動体終端の通話設定時間は、ネットワークにより発生される総収入だけでなく、解約率にも重大な影響を及ぼす。セルラワイヤレスネットワークにおいて、ユーザ機器（ＵＥ）がアイドルであるとき、ページングをチェックし、ネットワークによりブロードキャストされるシステム情報を読み取るために、ユーザ機器（ＵＥ）は、定期的な時間間隔で起動する。ワイヤレス通信システムの現在のフォーマットは第３世代（３Ｇ）システムを含み、第３世代（３Ｇ）システムは、以前の２Ｇシステムよりも大きな容量および大きな広帯域のワイヤレス性能を提供する。３Ｇシステムは、ワイヤレスネットワークからＵＥにシステム情報をブロードキャストする共通制御チャネルを含む。１つの新生の３Ｇシステムは、ユニバーサル移動電気通信システム（ＵＭＴＳ）である。ＵＭＴＳにおいて、いくかの共通制御チャネルがある。例えば、ＵＭＴＳ中のプライマリ共通制御用物理チャネル（Ｐ−ＣＣＰＣＨ）上に異なる情報ブロックがあり、それは、マスタ情報ブロック（ＭＩＢ）とシステム情報ブロック（ＳＩＢ）とに分類されている。
【０００４】
例えば、各ＳＩＢは、限定的ではないが、公衆陸上移動ネットワーク（ＰＬＭＮ）情報や、ＤＲＸ周期係数（ＳＩＢ１）や、セル再選択のためのしきい値（ＳＩＢ３）や、現在のアップリンク干渉レベル（ＳＩＢ７）や、ページング周波数タイマーなどのような特定のタイプのネットワーク情報を搬送する。これらのシステム情報ブロックのブロードキャストスケジューリングは、マスタ情報ブロック（ＭＩＢ）中に含まれており、マスタ情報ブロック（ＭＩＢ）は、規則的な、予め定められている時間間隔でブロードキャストされる。ＭＩＢは、正確な繰り返し回数と、ブロードキャストされるＳＩＢのそれぞれに対する、セグメント数およびシステムフレーム番号とを含む。ＳＩＢのうちの１つは、ＳＩＢ７であり、ＳＩＢ７は、基地局の受信機により知覚される、最新のアップリンク干渉レベルを搬送する。各ＵＥは、ネットワークとの接続を確立する前に、キャンピングセルのＳＩＢ７を読み取る必要がある。ＳＩＢ７情報は、アップリンク干渉レベルを含み、アップリンク干渉レベルは、開ループ電力制御計算において使用されて、ランダムアクセスに対して適切な送信電力レベルが決定される。さらに、ＵＥがネットワークによってページングされているかどうかを決定するために、ＵＥは、そのページングブロックをデコードする。いくつかの例において、ＳＩＢ７を読み取ることと、ネットワークによりページングされることは、同時に、または、ほぼ同時に起こることがある。
【０００５】
ページングブロックは、第２の共通制御用物理チャネル（Ｓ−ＣＣＰＣＨ）を通してブロードキャストされる。一般に、（Ｓ−ＣＣＰＣＨ上の）ページングブロックのデコーディングは、（Ｐ−ＣＣＰＣＨ上の）ＳＩＢのデコーディングに対して、より高い優先順位を有する。ＵＥがページングされているとき、ＵＥがブロードキャストされるＳＩＢ７の次の発生を受信するまで、ＵＥはネットワークとの接続を直ちに開始してページに応答することができない。結果として、ページの受信と、ネットワークとの接続要求の開始との間に、必要な待ち時間がある。待ち時間は、異なるＵＥ間で異なる可能性があり、良いユーザ経験を保証するのに望ましい待ち時間よりも長い待ち時間がある。
【概要】
【０００６】
移動体終端（ＭＴ）の通話設定時間を低減させる装置および方法を開示する。ここで開示するようにＳＩＢ７またはＳＩＢ１４のスケジューリング頻度を調整することにより、有利な結果は、平均のＭＴ通話設定時間を低減させること、ＳＩＢ７またはＳＩＢ１４の次の発生に対する平均の待ち時間を低減させることを含み、通話の成功レートのパフォーマンスを増加させ、それゆえに、より良いユーザ経験を保証する。さらに、Ｐ−ＣＣＰＣＨチャネル上の以前に使用されていない帯域幅を使用してもよいことから、帯域幅の効率が増加する。したがって、ここで開示するようにＳＩＢ７またはＳＩＢ１４のスケジューリング頻度を調整することにより、より多くページングされるユーザがあるとき、ＳＩＢ７またはＳＩＢ１４の遅延に対する、高いページングの影響が低減される。また、ページングされるユーザの数が低減するケースにおいて、ＳＩＢ７またはＳＩＢ１４のスケジューリング頻度をより低く調整して、追加のＳＩＢ７またはＳＩＢ１４ブロックの送信に関係づけられる、オーバーヘッドおよびダウンリンクの干渉を最小にすることができる。
【０００７】
１つの観点にしたがうと、ワイヤレス通信デバイスの通話設定時間を低減させる方法は、ページング強度を測定することと、通話設定時間を低減させるために、測定されたページング強度に基づいて、ＳＩＢ７またはＳＩＢ１４の繰り返し周期を調整することとを含む。
【０００８】
別の観点にしたがうと、ワイヤレス通信デバイスの通話設定時間を低減させる方法は、
ページング強度を測定することと、測定されたページング強度に基づいて、ページング強度のしきい値を決定することと、通話設定時間を低減させるために、ページング強度のしきい値に基づいて、ＳＩＢ７またはＳＩＢ１４の繰り返し周期を更新することと、更新されたＳＩＢ７またはＳＩＢ１４の繰り返し周期に基づいて、少なくとも１つのＳＩＢ７またはＳＩＢ１４ブロックを送信することとを含む。
【０００９】
別の観点にしたがうと、装置はプロセッサとメモリとを備え、メモリは、ページング強度を測定することと、通話設定時間を低減させるために、測定されたページング強度に基づいて、ＳＩＢ７またはＳＩＢ１４の繰り返し周期を調整することとを実行するための、プロセッサによって実行可能なプログラムコードを含む。
【００１０】
別の観点にしたがうと、装置はプロセッサとメモリとを備え、メモリは、ページング強度を測定することと、測定されたページング強度に基づいて、ページング強度のしきい値を決定することと、通話設定時間を低減させるために、ページング強度のしきい値に基づいて、ＳＩＢ７またはＳＩＢ１４の繰り返し周期を更新することと、更新されたＳＩＢ７またはＳＩＢ１４の繰り返し周期に基づいて、少なくとも１つのＳＩＢ７またはＳＩＢ１４ブロックを送信することとを実行するための、前記プロセッサによって実行可能なプログラムコードを含む。
【００１１】
別の観点にしたがうと、通話設定時間を低減させる装置は、ページング強度を測定する手段と、通話設定時間を低減させるために、測定されたページング強度に基づいて、ＳＩＢ７またはＳＩＢ１４の繰り返し周期を調整する手段とを備える。
【００１２】
別の観点にしたがうと、通話設定時間を低減させる装置は、ページング強度を測定する手段と、測定されたページング強度に基づいて、ページング強度のしきい値を決定する手段と、通話設定時間を低減させるために、ページング強度のしきい値に基づいて、ＳＩＢ７またはＳＩＢ１４の繰り返し周期を更新する手段と、更新されたＳＩＢ７またはＳＩＢ１４の繰り返し周期に基づいて、少なくとも１つのＳＩＢ７またはＳＩＢ１４ブロックを送信する手段とを備える。
【００１３】
別の観点にしたがうと、少なくとも１つのコンピュータにより実行されるとき、方法を実現する、記憶されたプログラムコードを含むコンピュータ読み取り可能媒体は、ページング強度を測定するためのプログラムコードと、通話設定時間を低減させるために、測定されたページング強度に基づいて、ＳＩＢ７またはＳＩＢ１４の繰り返し周期を調整するためのプログラムコードとを含む。
【００１４】
別の観点にしたがうと、記憶されたプログラムコードを含むコンピュータ読み取り可能媒体は、ページング強度を測定することをコンピュータに生じさせるためのプログラムコードと、測定されたページング強度に基づいて、ページング強度のしきい値を決定することをコンピュータに生じさせるためのプログラムコードと、通話設定時間を低減させるために、ページング強度のしきい値に基づいて、ＳＩＢ７またはＳＩＢ１４の繰り返し周期を更新することをコンピュータに生じさせるためのプログラムコードと、更新されたＳＩＢ７またはＳＩＢ１４の繰り返し周期に基づいて、少なくとも１つのＳＩＢ７またはＳＩＢ１４ブロックを送信することを前記コンピュータに生じさせるためのプログラムコードとを含む。
【００１５】
実例としてさまざまな観点を示し、記述している以下の詳細な説明から、他の観点が当業者に対して容易に明らかになることが理解される。図面および詳細な説明は、本質的に実例であり、限定的であると考えるべきでない。
【図面の簡単な説明】
【００１６】
【図１】図１は、例示的なワイヤレスネットワークを図示するブロック図である。
【図２Ａ】図２Ａは、ページングブロックと、ＳＩＢブロードキャストブロックとのタイムラインのオーバーラップを図示する。
【図２Ｂ】図２Ｂは、ページングブロックと、ＳＩＢブロードキャストブロックとのタイムラインのオーバーラップを図示する。
【図３】図３は、ワイヤレスネットワークのページング強度に基づいて、ＳＩＢ７（またはＳＩＢ１４）の繰り返しを調整するための例示的なフロー図である。
【図４】図４は、ページング強度に基づいて、ＳＩＢ７の繰り返しを調整することを図示する例である。
【図５】図５は、通話設定時間を低減させる構成を図示する。
【図６】図６は、通話設定時間を低減させるのに適したデバイスの第１の実施形態を説明する。
【図７】図７は、通話設定時間を低減させるのに適したデバイスの第２の実施形態を説明する。
【図８】図８は、通話設定時間を低減させるのに適したデバイスの第３の実施形態を説明する。
【図９】図９は、通話設定時間を低減させるのに適したデバイスの第４の実施形態を説明する。
【詳細な説明】
【００１７】
添付図面とともに以下で示す詳細な説明は、本開示のさまざまな観点の記述として向けられており、本開示が実施される唯一の観点を表すように向けられていない。本開示中で記述する各観点は、本開示の単なる例または実例として提供され、他の観点に対して好ましいまたは有利であるものとして必ずしも解釈すべきでない。詳細な説明は、本開示の完全な理解を提供する目的のために、特定の詳細を含む。しかしながら、これらの詳細がなくても本開示を実施できることが当業者に明らかであるだろう。いくつかの例において、本開示の概念を不明瞭にすることを回避するために、よく知られている構造およびデバイスをブロック図の形態で示している。頭字語および他の記述用語は、単に、便利さおよび明確さのために使用され、開示の範囲を限定するように向けられていない。
【００１８】
説明を簡単にするために、方法を一連の動作として示し、記述しているが、いくつかの動作は、１つ以上の観点にしたがって、ここで示し記述する順序とは異なる順序で、および／または、ここで示し記述する他の動作と同時に起こってもよいことから、方法は動作の順序によって限定されないことを理解および認識すべきである。例えば、状態図におけるような、一連の相関状態または事象として方法を代わりに表すことができることを、当業者は理解および認識するだろう。さらに、１つ以上の観点にしたがって方法を実現するために、図示されたすべての動作が要求されなくてもよい。
【００１９】
ＳＩＢ７ブロードキャストのスケジューリングおよび繰り返し時間は、一定であり、ネットワークによって設定される。ページングオケージョンは、ＵＥの国際移動体加入者識別番号（ＩＭＳＩ）に基づいて決定される。これらの規格の結果として、ＵＥに対する、ページの受信と、ネットワークとの接続要求の開始との間の待ち時間は、ＵＥが属するページンググループに依存する。例えば、ＵＥが、次のＳＩＢ７スケジューリングスロットに隣接するページンググループに属する場合、ＵＥは最小の待ち時間を経験するだろう。逆に、ＵＥが、ページングブロックとＳＩＢ７との間でオーバーラップするページンググループに属する場合、ページングのデコーディングが（因習により）より高い優先順位を有し、ＵＥはＳＩＢのデコーディングをしそこなうだろう。そのようなケースにおいて、ＵＥは最大の待ち時間を経験し、一貫して、最大のＭＴ通話設定時間を経験するだろう。
【００２０】
図１は、例示的なワイヤレスネットワーク１００を図示するブロック図である。図１中で図示した例示的なワイヤレスネットワーク１００は、ＦＤＭＡ環境、ＯＦＤＭＡ環境、ＣＤＭＡ環境、ＷＣＤＭＡ環境、ＴＤＭＡ環境、ＳＤＭＡ環境、または他の任意の適切なワイヤレス環境において実現してもよいことを当業者は理解するだろう。
【００２１】
ワイヤレスネットワーク１００は、（基地局としても知られている）アクセスポイント２００と、（ユーザ機器またはＵＥとしても知られている）ワイヤレス通信デバイス３００とを含んでいる。ダウンリンクの区間において、（基地局としても知られている）アクセスポイント２００は、送信（ＴＸ）データプロセッサＡ ２１０を含み、送信（ＴＸ）データプロセッサＡ ２１０は、トラフィックデータを受け取り、フォーマットし、コード化し、インターリーブし、変調（またはシンボルマッピング）し、（データシンボルとしても知られている）変調シンボルを提供する。ＴＸデータプロセッサＡ ２１０は、シンボル変調器Ａ ２２０と通信している。シンボル変調器Ａ ２２０は、データシンボルとダウンリンクパイロットシンボルとを受け取って処理し、シンボルのストリームを提供する。１つの観点において、シンボル変調器Ａ ２２０は、プロセッサＡ ２８０と通信しており、プロセッサＡ ２８０は設定情報を提供する。シンボル変調器Ａ ２２０は、送信機ユニット（ＴＭＴＲ）Ａ ２３０と通信している。シンボル変調器Ａ ２２０は、データシンボルとダウンリンクパイロットシンボルとを多重化し、それらを送信機ユニットＡ ２３０に提供する。
【００２２】
送信される各シンボルは、データシンボル、ダウンリンクパイロットシンボル、またはゼロの信号値であってもよい。ダウンリンクパイロットシンボルは、各シンボル期間において継続的に送られてもよい。１つの観点において、ダウンリンクパイロットシンボルは、周波数分割多重化（ＦＤＭ）されてもよい。別の観点において、ダウンリンクパイロットシンボルは、直交周波数分割多重化（ＯＦＤＭ）されてもよい。さらに別の観点において、ダウンリンクパイロットシンボルは、コード分割多重化（ＣＤＭ）されてもよい。１つの観点において、送信機ユニットＡ ２３０は、シンボルのストリームを受け取り、それらを１つ以上のアナログ信号に変換し、さらに、アナログ信号を調整し、例えば、増幅し、フィルタリングし、および／または周波数アップコンバートして、ワイヤレス送信に適したアナログダウンリンク信号を発生させる。アナログダウンリンク信号は次に、アンテナ２４０を通して送信される。
【００２３】
ダウンリンクの区間において、（ＵＥとしても知られている）ワイヤレス通信デバイス３００は、アナログダウンリンク信号を受信し、アナログダウンリンク信号を受信機ユニット（ＲＣＶＲ）Ｂ ３２０に入力するアンテナ３１０を含んでいる。１つの観点において、受信機ユニットＢ ３２０は、アナログダウンリンク信号を“調整された信号”に、調整し、例えば、フィルタリングし、増幅し、周波数ダウンコンバートする。“調整された信号”は次にサンプリングされる。受信機ユニットＢ ３２０は、シンボル復調器Ｂ ３３０と通信している。シンボル復調器Ｂ ３３０は、受信機ユニットＢ ３２０から出力される（データシンボルとしても知られている）、“調整された”および“サンプリングされた”信号を復調する。シンボル復調器Ｂ ３３０は、プロセッサＢ ３４０と通信している。プロセッサＢ ３４０は、シンボル復調器Ｂ ３３０からダウンリンクパイロットシンボルを受け取り、ダウンリンクパイロットシンボルに関してチャネル推定を実行する。１つの観点において、チャネル推定は、現在の伝搬環境を特徴づけるプロセスである。シンボル復調器Ｂ ３３０は、プロセッサＢ ３４０からダウンリンク区間に対する周波数応答推定を受け取る。シンボル復調器Ｂ ３３０は、データシンボルに対してデータの復調を実行して、データシンボル推定を取得する。データシンボル推定は、送信されたデータシンボルの推定である。シンボル復調器Ｂ ３３０はまた、ＲＸデータプロセッサＢ ３５０と通信している。ＲＸデータプロセッサＢ ３５０は、シンボル復調器Ｂ ３３０からデータシンボル推定を受け取り、例えば、データシンボル推定を復調し（すなわち、シンボルデマップし）、インターリーブし、および／またはデコードして、トラフィックデータを回復する。１つの観点において、シンボル復調器Ｂ ３３０およびＲＸデータプロセッサＢ ３５０による処理は、それぞれ、シンボル変調器Ａ ２２０およびＴＸデータプロセッサＡ ２１０による処理と相補関係にある。
【００２４】
アップリンクの区間において、（ＵＥとしても知られている）ワイヤレス通信デバイス３００は、ＴＸデータプロセッサＢ ３６０を含む。ＴＸデータプロセッサＢ ３６０は、トラフィックデータを受け取って処理して、データシンボルを出力する。ＴＸデータプロセッサＢ ３６０は、シンボル変調器Ｄ ３７０と通信している。シンボル変調器Ｄ ３７０は、データシンボルを受け取って、アップリンクパイロットシンボルと多重化し、変調を実行し、シンボルのストリームを提供する。１つの観点において、シンボル変調器Ｄ ３７０は、設定情報を提供するプロセッサＢ ３４０と通信している。シンボル変調器Ｄ
３７０は、送信機ユニットＢ ３８０と通信している。
【００２５】
送信される各シンボルは、データシンボル、アップリンクパイロットシンボル、またはゼロの信号値であってもよい。アップリンクパイロットシンボルは、各シンボル期間において継続的に送られてもよい。１つの観点において、アップリンクパイロットシンボルは、周波数分割多重化（ＦＤＭ）されてもよい。別の観点において、アップリンクパイロットシンボルは、直交周波数分割多重化（ＯＦＤＭ）されてもよい。さらに別の観点において、アップリンクパイロットシンボルは、コード分割多重化（ＣＤＭ）されてもよい。１つの観点において、送信機ユニットＢ ３８０は、シンボルのストリームを受け取り、それらを１つ以上のアナログ信号に変換し、さらに、アナログ信号を調整し、例えば、増幅し、フィルタリングし、および／または周波数アップコンバートして、ワイヤレス送信に適したアナログアップリンク信号を発生させる。アナログアップリンク信号は次に、アンテナ３１０を通して送信される。
【００２６】
ワイヤレス通信デバイス（ＵＥ）３００からのアナログアップリンク信号は、アンテナ２４０によって受信され、受信機ユニットＡ ２５０によって処理されてサンプルが取得される。１つの観点において、受信機ユニットＡ ２５０は、アナログアップリンク信号を“調整された信号”に、調整し、例えば、フィルタリングし、増幅し、周波数ダウンコンバートする。“調整された信号”は次にサンプリングされる。受信機ユニットＡ ２５０は、シンボル復調器Ｃ ２６０と通信している。シンボル復調器Ｃ ２６０は、データシンボルに対してデータの復調を実行してデータシンボル推定を取得し、次にアップリンクパイロットシンボルとデータシンボル推定とをＲＸデータプロセッサＡ ２７０に提供する。データシンボル推定は、送信されたデータシンボルの推定である。ＲＸデータプロセッサＡ ２７０は、データシンボル推定を処理して、ワイヤレス通信デバイス３００によって送信されたトラフィックデータを回復する。シンボル復調器Ｃ ２６０はまた、プロセッサＡ ２８０と通信している。プロセッサＡ ２８０は、アップリンク区間上で送信している各アクティブ端末に対してチャネル推定を実行する。１つの観点において、複数の端末は、それぞれの割り当てられた組のパイロット副帯域におけるアップリンク区間上で同時にパイロットシンボルを送信してもよく、パイロット副帯域の組はインタレースされてもよい。
【００２７】
プロセッサＡ ２８０およびプロセッサＢ ３４０は、それぞれ（基地局としても知られている）アクセスポイント２００および（ユーザ機器またはＵＥとしても知られている）ワイヤレス通信デバイス３００における動作を命令する（例えば、制御し、調整し、または管理するなど）。１つの観点において、プロセッサＡ ２８０およびプロセッサＢ ３４０のいずれかまたはその両方は、プログラムコードおよび／またはデータを記憶する（示していない）１つ以上のメモリユニットに関係付けられる。１つの観点において、プロセッサＡ ２８０またはプロセッサＢ ３４０のいずれか、あるいはその両方は、計算を実行して、それぞれアップリンク区間およびダウンリンク区間に対する周波数およびインパルス応答推定を導く。
【００２８】
１つの観点において、ワイヤレスネットワーク１００は多元接続システムである。多元接続システム（例えば、ＦＤＭＡ、ＯＦＤＭＡ、ＣＤＭＡ、ＴＤＭＡなど）に対して、複数の端末は、アップリンク区間上で同時に送信する。１つの観点において、多元接続システムに対して、異なる端末間でパイロット副帯域を共有してもよい。それぞれの端末に対するパイロット副帯域が全体の動作帯域（あるいは帯域エッジを除いて）にまたがるようなケースにおいて、チャネル推定技術が使用される。各端末に対して周波数ダイバーシティを取得するために、このようなパイロット副帯域構造が望まれる。
【００２９】
ここで記述する技術はさまざまな方法により実現してもよいことを当業者は理解するだろう。例えば、技術は、ハードウェア、ソフトウェア、またはこれらの組み合わせにおいて実現してもよい。例えば、ハードウェア実施のために、１つ以上の特定用途向け集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、制御装置、マイクロ制御装置、マイクロプロセッサ、ここで記述した機能を実行するように設計された他の電子ユニット、またはこれらの組み合わせ内で、チャネル推定のために使用される処理ユニットを実現してもよい。ソフトウェアに対して、実施は、ここで記述した機能を実行するモジュール（例えば、手続き、関数など）によるものであってもよい。ソフトウェアコードをメモリユニット中に記憶させ、プロセッサＡ ２８０およびプロセッサＢ ３４０により実行してもよい。
【００３０】
ここで記述するさまざまな実例となる、論理ブロック、モジュール、および／または回路は、（プロセッサとしても知られている）１つ以上のプロセッサユニットにより実現または実行してもよい。プロセッサは、マイクロプロセッサのような汎用目的のプロセッサ、デジタル信号プロセッサ（ＤＳＰ）のような特定用途のプロセッサ、または、ソフトウェアをサポートできる他の任意のハードウェアプラットフォームであってもよい。ソフトウェア、ファームウェア、ミドルウェア、マイクロコード、または他の任意の用語、で呼ばれようとなかろうと、ソフトウェアは、命令、データ構造、またはプログラムコードの、任意の組み合わせを意味するように広く解釈されるであろう。代わりに、プロセッサは、特定用途向け集積回路（ＡＳＩＣ）、プログラム可能論理デバイス（ＰＬＤ）、フィールドプログラム可能ゲートアレイ（ＦＰＧＡ）、制御装置、マイクロ制御装置、状態遷移機械、ディスクリートのハードウェアコンポーネントの組み合わせ、またはこれらの任意の組み合わせであってもよい。ここで記述するさまざまな実例となる、論理ブロック、モジュール、および／または回路はまた、ソフトウェアを記憶するコンピュータ読み取り可能媒体を含んでいてもよい。コンピュータ読み取り可能媒体はまた、１つ以上の記憶デバイス、伝送線路、またはデータ信号をエンコードする搬送波を含んでいてもよい。
【００３１】
図２Ａおよび図２Ｂは、ページングブロックおよびＳＩＢブロードキャストブロックのタイムラインのオーバーラップを図示する。ワイヤレスネットワーク１００が、（ＵＥとしても知られている）ワイヤレス通信デバイス３００をページングするとき、ワイヤレスネットワーク１００は、ページングインジケータチャネル（ＰＩＣＨ）上で（ＵＥとしても知られている）ワイヤレス通信デバイス３００に対応するページングインジケータ（ＰＩ）を設定する。１つの観点において、１つ以上のワイヤレス通信デバイスに同じＰＩを割り当てることができる。各ワイヤレス通信デバイスは、そのＰＩの値を決定するために、ＰＩＣＨ上の（ページングオケージョンとしても知られている）特定のフレームだけを監視する。１つの観点において、各ワイヤレス通信デバイスに対するページングオケージョンのシステムフレーム番号（ＳＦＮ）は次のように計算される。  
SFN＝{(IMSI div K)mod DRX周期長}＋n*DRX周期長＋フレームオフセット （１）  
ここで、Ｋは、セル中のＳ−ＣＣＰＣＨチャネルの数であり、ＤＲＸ周期長は、ワイヤレスネットワークにより設定される設定可能なパラメータであり、ＩＭＳＩは、ワイヤレスネットワークにより各加入者に割り当てられる固定番号である、国際移動体加入者識別番号であり、ＳＦＮのように長いｎ＝０、１、２、．．．は、最大値より小さい（＜２５６）。１つの例において、Ｋは１に設定される。
【００３２】
（ＵＥとしても知られている）ワイヤレス通信デバイス３００が、ＰＩＣＨ上でそのＰＩが設定されていることを決定する場合、（ＵＥとしても知られている）ワイヤレス通信デバイス３００は、到来するページがワイヤレスデバイス３００に向けられたものであるかどうかを決定するためにページングチャネル（ＰＣＨ）を読み取るだろう。ＰＣＨは、共通制御チャネルにマッピングされる。１つの観点において、共通制御チャネルは、ＵＭＴＳにおける第２の共通制御用物理チャネル（Ｓ−ＣＣＰＣＨ）である。いくつかの例において、ページングブロックの送信は、（ＵＥとしても知られている）ワイヤレス通信デバイス３００がランダムアクセスを開始するために読み取る必要があるＳＩＢのブロードキャストとオーバーラップする。第２の共通制御用物理チャネル（Ｓ−ＣＣＰＣＨ）を通してブロードキャストされるページングブロックは一般に、（Ｐ−ＣＣＰＣＨ上の）ＳＩＢのデコーディングに対してより高い優先順位を有する。したがって、（ＵＥとしても知られている）ワイヤレス通信デバイス３００は、ページングブロックを読み取り、ＳＩＢを取りそこなうだろう。特に、ページングブロックがＳＩＢ７とオーバーラップする場合、（ＵＥとしても知られている）ワイヤレス通信デバイス３００は、ＳＩＢ７のデコーディングをしそこなうだろう。（ＵＥとしても知られている）ワイヤレス通信デバイス３００がページングされているとき、ワイヤレス通信デバイス３００が、ブロードキャストされるＳＩＢ７の次の発生を受信するまで、ワイヤレス通信デバイス３００は、ワイヤレスネットワークとの接続を直ちに開始してページに応答することができず、ページの受信と、ワイヤレスネットワーク１００との接続要求の開始との間に、待ち時間が結果として生じる。ＳＩＢ７情報はアップリンク干渉レベルを含み、アップリンク干渉レベルは、開ループ電力制御計算において使用されて、ランダムアクセスに対して適切な送信電力レベルが決定される。
【００３３】
図２Ａおよび２Ｂ中で示すように、項目１は、ＩＭＳＩ番号Ｎに向けられるページングタイプ１メッセージである。項目２は、ＩＭＳＩ番号Ｎを有する（ＵＥとしても知られている）ワイヤレス通信デバイス３００に向けられる、ＳＩＢ７を含んでいるＢＣＨデータである。（ＵＥとしても知られている）ワイヤレス通信デバイス３００は、それがページに応答できる前に、ＳＩＢ７をデコードしなければならない。しかしながら、この例において、ページングブロックはＳＩＢ７とオーバーラップすることから、（ＵＥとしても知られている）ワイヤレス通信デバイス３００は、ＳＩＢ７の次の発生を待つ必要がある。したがって、この例において、（ＵＥとしても知られている）ワイヤレス通信デバイス３００は、最悪のＭＴ通話設定時間を有するだろう。
【００３４】
図３は、ワイヤレスネットワークのページング強度に基づいて、ＳＩＢ７（またはＳＩＢ１４）を調整するための例示的なフロー図である。ページング強度は、ある時間期間内の、制御されるカバレッジエリアにおける、ページングされるユーザ数のような、到来するページングアクティビティの測定である。１つの観点において、ページングアクティビティの数学関数または時間フィルタリングを使用して、ページング強度を規定してもよい。ページング強度の定義は、本開示の範囲および精神に影響を及ぼすことなく、システムパラメータ、ネットワークパラメータ、設計パラメータ、またはオペレータの選択などに基づいていてもよいことを当業者は理解するだろう。
【００３５】
１つの観点において、いったん図３において記述したプロセスが開始されると、プロセスが停止されるまで、ページング強度はワイヤレスネットワーク１００によって継続的に監視される。ブロック３３１０において、ページング強度のしきい値が規定される。１つの観点において、ページング強度のしきい値は、ワイヤレスネットワーク１００によって予め規定されている。ページング強度のしきい値の値は、本開示の範囲および精神に影響を及ぼすことなく、システムパラメータ、ネットワークパラメータ、設計パラメータ、オペレータの選択、またはユーザの選択などに基づいていてもよいことを当業者は理解するだろう。１つの観点において、ページング強度のしきい値は、１つ以上のルックアップテーブルのリストにおいて記憶される。１つの観点において、いったん規定されると、ページング強度のしきい値は固定される。別の観点において、ページング強度のしきい値は可変であってもよく、ネットワーク、オペレータ、または他の条件によって設定されるパラメータにしたがって変化してもよい。例えば、１組のページング強度のしきい値が、１組のページング強度に対応するように予め規定される。ここで、１つの組におけるページング強度のしきい値のそれぞれは、ページング強度のそれぞれに整合される。
【００３６】
いったんページング強度のしきい値が規定されると、ブロック３３２０において、ワイヤレスネットワーク１００は、ページング強度を測定する（すなわち、監視する）。１つの観点において、ワイヤレスネットワーク１００における無線ネットワーク制御装置（ＲＮＣ）が、ページング強度の測定を処理する。ブロック３３３０において、測定されたページング強度に基づいて、ページング強度のしきい値を決定する（すなわち、選択する）。ブロック３３４０において、ＳＩＢ７（またはＳＩＢ１４）の繰り返し周期が調整される。１つの観点において、調整は、次のことを含む：１）測定されたページング強度次第で、ワイヤレスネットワーク１００が、測定されたページング強度に基づいて、ページング強度のしきい値を決定し、２）対応するＳＩＢ７（またはＳＩＢ１４）の繰り返し周期が、ページング強度のしきい値にしたがって更新（すなわち、調整）される。通常、すべてのＲＮＣが、いくつかのワイヤレスネットワーク設定のＳＩＢ７の繰り返し周期Ｘにより設定される。１つの観点において、各ＲＮＣは、ＹがＸから導かれるように、異なるＳＩＢ７の繰り返し周期Ｙと、当業者に知られている、ページング強度に関するいくつかの数学関数とを使用するだろう。１つの観点において、ページング強度が高い場合、ＲＮＣはＳＩＢ７の繰り返しを増加させる（すなわち、ＳＩＢ７の繰り返し周期を低減させる）。例えば、特定のページング強度のしきい値に達するか、またはそれを超える場合、ＳＩＢ７の繰り返し周期Ｙは、Ｙ／２に半減される。１つの観点において、複数のページング強度のしきい値が、ＳＩＢ７の繰り返し周期をさらに減少させるように設定される。１つの観点において、ページング強度が低い場合、ＲＮＣはＳＩＢ７の繰り返しを減少させる（すなわち、ＳＩＢ７の繰り返し周期を増加させる）。例えば、測定されるページング強度が特定のページング強度のしきい値より低い場合、ＳＩＢ７の繰り返し周期Ｙは、２Ｙに倍増される。１つの観点において、ＳＩＢ７の繰り返し周期は、例えば、ネットワークオペレータによって選ばれる、ワイヤレスネットワーク設定のＳＩＢ７の繰り返し周期を決して超えない。１つの観点において、既存の３ｇｐｐ規格からの最小のＳＩＢ７の繰り返し周期は、ＳＩＢ７の繰り返し周期Ｙの下限として設定される。別の観点において、ＳＩＢ７の繰り返し周期Ｙの下限が、既存の３ｇｐｐ規格からの繰り返し周期を下回るように設定される場合、当業者は、ワイヤレス通信デバイス３００および／またはワイヤレスネットワーク１００における他のコンポーネントに対して、適切なソフトウェアの変更を決定してもよい。ＳＩＢ７の繰り返し周期を調整するために、上層（例えば、ワイヤレスネットワーク１００における他のソフトウェア）とＲＮＣとの間で、追加のシグナリングを必要としてもよいことを当業者は理解するだろう。１つの観点において、ページング強度のしきい値とともに、ヒステリシスおよび有効期限のタイマーが使用される。例えば、ページング強度は、特定のページング強度のしきい値の合計を超えなければならず、ＳＩＢ７の繰り返し周期の前に有効期限のタイマーによって測定されるような継続時間Ｔに対するヒステリシスの値が調整される。ブロック３３５０において、少なくとも１つのＳＩＢ７（またはＳＩＢ１４）ブロックが、調整されたＳＩＢ７（またはＳＩＢ１４）の繰り返し周期に基づいて送信される。本開示の範囲または精神に影響を及ぼすことなく、システムまたはアプリケーションのパラメータ、設計またはオペレータの選択に基づいて継続時間Ｔを選んでもよいことを当業者は理解するだろう。
【００３７】
１つの観点において、図３において記述したプロセスは、アップリンク干渉レベルがＳＩＢ７ブロック中に含まれる周波数分割複信（ＦＤＤ）モードに関連することを当業者は理解するだろう。さらに、時分割複信（ＴＤＤ）モードにおいて、アップリンク干渉レベルはＳＩＢ１４ブロック中に含まれ、ＳＩＢ７ブロックを参照している図３におけるプロセスは、プロセスの範囲または精神に影響を及ぼすことなくＳＩＢ１４ブロックに置き換えることができることを当業者は理解するだろう。
【００３８】
１つの観点において、更新時間Ｔupdateは、ブロック３３２０、３３３０、および３３４０におけるプロセスが、待ちＴupdateの後に繰り返されるように予め規定され、このループサイクルは、図３中のプロセスが停止されるまで続く。１つの例において、各ループサイクルを進める前に、図３中のプロセスが依然として使用可能であることを確認する。１つの観点において、Ｔupdateは固定値であり、別の観点において、Ｔupdateは可変値である。Ｔupdateの値が、本開示の範囲および精神に影響を及ぼすことなく、システムパラメータ、設計パラメータ、オペレータの選択、またはユーザの選択などに基づいていてもよいことを当業者は理解するだろう。
【００３９】
１つの観点において、周波数分割複信（ＦＤＤ）では、ＵＴＲＡＮ（ＵＭＴＳ地上無線アクセスネットワーク）は、ＳＩＢ７の繰り返し周期を調整し、新しいＳＩＢ７の繰り返し周期にしたがって、ＳＩＢ７ブロックを再スケジュールするだろう。例えば、もともとスケジュールされていた位置とは異なる位置においてＳＩＢ７ブロックを受信した後に、ワイヤレス通信デバイス３００は、ＳＩＢ７ブロックを処理する（すなわち、デコードする）ことを続ける。別の例において、新しいスケジュールされた位置が利用できないか、または、まだ受信されない場合でさえ、ＳＩＢ７ブロックを受信した後に、ワイヤレス通信デバイス３００は、ＳＩＢ７ブロックを処理することを続ける。１つの観点において、ワイヤレスネットワーク１００は、ＭＩＢにおいて情報をスケジュールする共通制御チャネルを絶えず監視し、したがって、この例において、ワイヤレスネットワーク１００は、ＭＩＢにおいてＳＩＢ７の繰り返し周期の変更を反映することを必要としない。１つの観点において、処理は、ＳＩＢ７ブロックのコンテンツを記憶させることと、予め定められている値により有効期限のタイマーを開始することと、有効期限のタイマーが切れるまで有効なコンテンツを考慮することとを含んでもよい。１つの観点において、有効期限のタイマーは固定される。１つの例において、有効期限のタイマーの有効期限のファクタは、ＳＩＢ７の繰り返し周期に反比例するように設定される。別の観点において、有効期限のタイマーは可変である。予め規定される値は、本開示の範囲および精神に影響を及ぼすことなく、システムパラメータ、またはオペレータの選択などに基づいていてもよいことを当業者は理解するだろう。
【００４０】
１つの観点において、ＳＩＢ７の繰り返し周期は可変であり、調整可能である。ＳＩＢ７ブロックのスケジューリング情報は、ＭＩＢにおいて送信される。ワイヤレス通信デバイス３００に対する通知として、ＭＩＢの値タグは、ＳＩＢ７ブロックのスケジューリング情報における変化に対応するように変更される。したがって、ワイヤレス通信デバイス３００は、新しいスケジュールされた位置におけるＳＩＢ７ブロックを発見することができる。
【００４１】
図４は、ページング強度に基づいてＳＩＢ７の繰り返しを調整することを図示する例である。例において、３つのページング強度のしきい値が、時刻に対してグラフで示されている。ＳＩＢ７の繰り返し周期もまた、時刻に対してグラフで示されている。ＳＩＢ７の繰り返し周期の３つの値（１．２８秒、０．６４秒、および０．３２秒）が図示されている。図４において、左から右に進むと、ページング強度のしきい値１を超えるまで、繰り返し周期は１．２８秒である。次に、ページング強度のしきい値２を超えるまで、繰り返し周期は０．６４秒に低減され、しきい値２を超えるとき、繰り返し周期はさらに０．３２秒に低減される。いったん、ページング強度がページング強度のしきい値２を下回ると、繰り返し周期は再度０．６４秒に増加する。ページング強度がページング強度のしきい値１よりも減少するとき、繰り返し周期は再度１．２８秒に増加する。残りの時刻に対する繰り返し周期の値は、図４中で示すように、到達するページング強度値のしきい値にしたがって設定される。図４中で示した例において、ワイヤレスネットワーク設定のＳＩＢ７の繰り返し周期は１．２８秒である。
【００４２】
１つの観点において、本開示は、アップリンク干渉レベルがＳＩＢ７ブロック中に含まれる周波数分割複信（ＦＤＤ）モードに関連することを当業者は理解するだろう。さらに、時分割複信（ＴＤＤ）モードにおいて、アップリンク干渉レベルはＳＩＢ１４中に含まれ、ＳＩＢ７ブロックを参照しているここでの開示は、開示の範囲または精神に影響を及ぼすことなくＳＩＢ１４ブロックに置き換えることができることを当業者は理解するだろう。
【００４３】
図５は、通話設定時間を低減させる構成を図示する。１つの例において、通話設定時間を低減させる構成は、図５中で示すような、メモリ５２０と通信するプロセッサ５１０を含むデバイス５００によって達成される。１つの観点において、メモリ５２０は、プロセッサ５１０内に位置している。別の観点において、メモリ５２０は、プロセッサ５１０に対して外部にある。
【００４４】
図６は、通話設定時間を低減させるのに適したデバイス６００の第１の実施形態を示す。１つの観点において、デバイス６００は、ブロック６１０、６２０、６３０、６４０、および６５０における、ここで記述したような、通話設定時間を低減させるさまざまな観点を提供するように構成されている１つ以上のモジュールを備える少なくとも１つのプロセッサにより実現される。例えば、各モジュールは、ハードウェア、ソフトウェア、またはこれらの任意の組み合わせを含む。１つの観点において、デバイス６００はまた、少なくとも１つのプロセッサと通信する少なくとも１つのメモリによって実現される。
【００４５】
図７は、通話設定時間を低減させるのに適したデバイス７００の第２の実施形態を示す。１つの観点において、デバイス７００は、ブロック７１０および７２０における、ここで記述したような、通話設定時間を低減させるさまざまな観点を提供するように構成されている１つ以上のモジュールを備える少なくとも１つのプロセッサにより実現される。例えば、各モジュールは、ハードウェア、ソフトウェア、またはこれらの任意の組み合わせを含む。１つの観点において、デバイス７００はまた、少なくとも１つのプロセッサと通信する少なくとも１つのメモリによって実現される。
【００４６】
図８は、通話設定時間を低減させるのに適したデバイス８００の第３の実施形態を示す。１つの観点において、デバイス８００は、ブロック８１０、８２０、８３０、および８４０における、ここで記述したような、通話設定時間を低減させる異なる観点を提供するように構成されている１つ以上のモジュールを備える少なくとも１つのプロセッサにより実現される。例えば、各モジュールは、ハードウェア、ソフトウェア、またはこれらの任意の組み合わせを含む。１つの観点において、デバイス８００はまた、少なくとも１つのプロセッサと通信する少なくとも１つのメモリによって実現される。
【００４７】
図９は、通話設定時間を低減させるのに適したデバイス９００の第４の実施形態を示す。１つの観点において、デバイス９００は、ブロック９１０、９２０、および９３０における、ここで記述したような、通話設定時間を低減させる異なる観点を提供するように構成されている１つ以上のモジュールを備える少なくとも１つのプロセッサにより実現される。例えば、各モジュールは、ハードウェア、ソフトウェア、またはこれらの任意の組み合わせを含む。１つの観点において、デバイス９００はまた、少なくとも１つのプロセッサと通信する少なくとも１つのメモリによって実現される。１つの観点において、モジュールのうちの少なくとも１つは、少なくとも１つのＳＩＢ７またはＳＩＢ１４ブロックを送信する手段９３０を備え、手段９３０は、送信アンテナおよび／または送信機を備える。
【００４８】
いかなる当業者であっても本開示を実施しまたは使用できるように、開示した観点の記述をこれまでに提供している。これらの観点に対してさまざまな修正が当業者に容易に明らかになり、本開示の精神または範囲から逸脱することなく、ここで規定した一般的な原理を、他の観点に適用してもよい。
【図１】
2010518704.tif 000003
【図２Ａ】
2010518704.tif 000004
【図２Ｂ】
2010518704.tif 000005
【図３】
2010518704.tif 000006
【図４】
2010518704.tif 000007
【図５】
2010518704.tif 000008
【図６】
2010518704.tif 000009
【図７】
2010518704.tif 000010
【図８】
2010518704.tif 000011
【図９】
2010518704.tif 000012
【国際調査報告】
2010518704.tif 000013
2010518704.tif 000014